(57)【要約】非接触無電源ＩＣカードシステムの従来の方式では、応答器の内部に自励型の発振器を構築する。この自励型の発振器は、電源電圧の変動により、その発振周波数が変化してしまうので、応答器内の回路の時間管理が難しいという問題点があった。  本発明は、このような従来の問題点に着目してなされたもので、質問器から送出される信号搬送波（マイクロ波）に、本来送るべき情報の他に、応答器で再生されるクロック周波数成分を多重化する。それを受信した応答器は、その多重化された変調波からクロック周波数成分を抽出して、その成分を基に安定な周波数のクロックを発振させる一方式であり、クロック周波数が変動し、応答器から質問器への回路信号の情報伝送レートが、質問器と応答器間の距離によって変動してしまうという問題点を回避できることに特徴がある。
2004051880.tif 000002
【特許請求の範囲】
【請求項１】
質問器と、応答器と、からなる非接触無電源ＩＣカードシステムであって、
前記質問器は、
搬送波にマイクロ波を用いた信号搬送波を取得する信号搬送波取得部と、
前記応答器内部の回路を時間管理するためのクロック波取得部と、
前記信号搬送波取得部で取得した信号搬送波と、前記クロック波取得部で取得したクロック波とを多重化して送信波を生成する送信波生成部と、
前記送信波生成部で生成された送信波を送信する送信部と、を有し、
前記応答器は、
前記質問器の送信部からの送信波を受信する応答器受信部と、
前記応答器受信部にて受信した送信波の信号を処理する信号処理部と、
前記応答器受信部にて受信した送信波により電力を生成する電源再生回路部と、
前記応答器受信部にて受信した送信波より前記クロック波の周波数成分を抽出するクロック周波数成分抽出部と、
前記クロック周波数成分抽出部にて抽出されたクロック周波数成分により発振し前記応答器内部の回路の時間管理を行うクロック発振部と、
を有することを特徴とする
非接触無電源ＩＣカードシステム。
【請求項２】
応答器と共に非接触無電源ＩＣカードシステムを構成するための質問器であって、
搬送波にマイクロ波を用いた信号搬送波を取得する信号搬送波取得部と、
前記応答器内部の回路を時間管理するためのクロック波取得部と、
前記信号搬送波取得部で取得した信号搬送波と、前記クロック波取得部で取得したクロック波とを多重化して送信波を生成する送信波生成部と、
前記送信波生成部で生成された送信波を送信する送信部と、
を有する質問器。
【請求項３】
質問器と共に非接触無電源ＩＣカードシステムを構成するための応答器であって、
前記質問器の送信部からの送信波を受信する応答器受信部と、
前記応答器受信部にて受信した送信波の信号を処理する信号処理部と、
前記応答器受信部にて受信した送信波により電力を生成する電源再生回路部と、
前記応答器受信部にて受信した送信波より前記クロック波の周波数成分を抽出するクロック周波数成分抽出部と、
前記クロック周波数成分抽出部にて抽出されたクロック周波数成分により発振し前記応答器内部の回路の時間管理を行うクロック発振部と、
を有する応答器。
【請求項４】
質問器と、応答器と、からなる非接触無電源ＩＣカードシステムの動作方法であって、
前記質問器において、
搬送波にマイクロ波を用いた信号搬送波を取得する信号搬送波を取得する搬送波取得ステップと、
前記応答器内部の回路を時間管理するためのクロック波を取得するクロック波取得ステップと、
前記信号搬送波取得部で取得した信号搬送波と、前記クロック波取得部で取得したクロック波とを多重化して送信波を生成する送信波生成ステップと、
前記送信波生成部で生成された送信波を送信する送信ステップと、
からなる工程と、
前記応答器において、
前記質問器の送信部からの送信波を受信する応答器受信ステップと、
前記応答器受信部にて受信した送信波の信号を処理する信号処理ステップと、
前記応答器受信部にて受信した送信波により電力を生成する電源再生ステップと、
前記応答器受信部にて受信した送信波より前記クロック波の周波数成分を抽出するクロック周波数成分抽出ステップと、
前記クロック周波数成分抽出部にて抽出されたクロック周波数成分により発振し前記応答器内部の回路の時間管理を行うクロック発振ステップと、
からなる工程と、
を含む非接触無電源ＩＣカード動作方法。
【請求項５】
前記マイクロ波の周波数は、ＶＨＦ帯（３０ＭＨｚ〜３００ＭＨｚ）及びＵＨＦ帯（３００ＭＨｚ〜３ＧＨｚ）及びＳＨＦ帯（３ＧＨｚ〜３０ＧＨｚ）の範囲に含まれる請求項１に記載のＩＣカードシステム。
【請求項６】
前記信号処理部は、クロック発振部にて発振されたクロック周波数成分により、受信した質問器からの送信波をサンプリングし復調する復調手段を有することを特徴とする請求項１に記載の非接触無電源ＩＣカードシステム。
【請求項７】
前記信号処理部は、クロック発振部にて発振されたクロック周波数成分により、受信した質問器からの送信波をサンプリングし復調する復調手段を有することを特徴とする請求項３に記載の応答器。
【請求項８】
前記信号処理ステップは、クロック発振部にて発振されたクロック周波数成分により、受信した質問器からの送信波をサンプリングし復調する復調ステップからなる工程を含む請求項４に記載の非接触無電源ＩＣカード動作方法。
【発明の詳細な説明】
【技術分野】  本発明は、質問器と応答器を有する非接触無電源ＩＣカードシステムに関する。
【背景技術】  近年、多くの産業で固体の自動認識技術が一般的になりつつある。現在、いたるところで用いられているバーコードシステムはこの固体の自動認識技術の一時代を築いた。しかし、このバーコードシステムは情報の書き換えができないので、電子回路を駆使し、情報を書き換えたり読み出したりすることができる、無線を媒体とした非接触ＩＣカードシステムが世の中に出てきた。
この非接触ＩＣカードシステムの中でも、電池を搭載しないで、応答器を構成できる信号搬送波を媒体とした非接触無電源ＩＣカードシステムであるＲＦＩＤ（Ｒａｄｉｏ  Ｆｒｅｑｕｅｎｃｙ  ＩＤｅｎｔｉｆｉｃａｔｉｏｎ）システムが注目されている。このシステムは離れた場所にある無電源のＩＣカードに信号搬送波を送出し、応答器の回路が動作するための電源は、その信号搬送波から再生するものが主流である。また、その信号搬送波を介して質問器から送出される情報を書き込んで、応答器に記憶させたり、また、ＩＣカードに記憶されている情報を信号搬送波を介して質問器が得たりするシステムである。その構成は例えば図６に示すように、ＩＣカードに相当する応答器０６０１と質問器０６０２からなる。
従来、応答器の処理回路に用いられるクロック波の生成方法には、大きく分けて３通りの方法があった。
まず第一の方法は、質問器からの搬送波を分周することでクロック波を生成する方法である。この方法は、搬送波を分周することによりクロック波を生成することができるが、搬送波に周波数の低いＬＦ帯（約３０ｋＨｚ〜３００ｋＨｚ）やＨＦ帯（３ＭＨｚ〜３０ＭＨｚ）を使用する。
次に、搬送波が比較的高い場合を考える。この場合には、第一の方法で説明した方法を採用してクロック波を生成することは困難である。なぜなら、搬送波の周波数が高いので、その周波数の分周器を構成することは多くの電力を消費しＲＦＩＤシステムには適さないからである。そこで、第二の方法として、応答器内部に自励式の局部発振器を配置する方法によりクロック波を生成する方法が採用されてきた。この方法のうち、自励式の発振を水晶振動子などを利用して行う方法では、安定した周波数のクロック波を生成することができる。しかし、水晶発振子事態の形状が大きく局部発振器を小型化することが困難であり、搬送波にマイクロ波を用いた１ｍｍ角程度の小型ＩＣチップなどにこの方法を利用することはできなかった。なぜなら波長に応じて物理的な大きさを有する水晶振動子を採用しなければならず、この水晶振動子の小型化に波長の長さに基いた理論的な限界があるからである。
最後に、搬送波が比較的短い波長の場合の他の方法を説明する。応答器内部に自励式の局部発振器を配置する方法であり、かつ自励式の発振をコンデンサ、抵抗、コイルなどを組み合わせて行う方法を挙げることができる。この方法は、搬送波にマイクロ波を用いるＲＦＩＤシステムにおいて、応答器の小型化に適し、高速通信が可能である。しかし、応答器と質問器の通信する距離により、応答器の内部で再生する電源電圧が変動してしまい、コンデンサ、抵抗、コイルなどを組み合わせて作られた発振器が影響を受け、その発振周波数が安定しないという問題点がある。
図５に、応答器内部に自励式の局部発振器を用いた従来方法の非接触無電源ＩＣカードシステムのブロック図の一例を示す。質問器０５０１は、信号搬送波取得部０５０２と、送信波生成部０５０３と、質問器送信部０５０４とを有し、応答器は、応答器受信部０５０５と、信号処理部０５０６と、電源再生回路部０５０７と、自励型発振部０５０８と、ロジック回路部０５０９とを有し、質問器０５０１と応答器間に信号搬送波０５１０が伝送される。
次に、従来方式の非接触無電源ＩＣカードシステムの動作を説明する。
質問器０５０１内で情報により変調された信号搬送波０５１０（マイクロ波など），または無変調波は、質問器送信部０５０４（送信アンテナなど）から信号搬送波０５１０として応答器に送出される。応答側では、応答器受信部０５０５（受信アンテナなど）で受信した信号搬送波０５１０を分配し、一部を信号処理部０５０６（マイクロ波回路など）へ、一部を電源再生回路部０５０７へ入力する。電源再生回路部０５０７で作られた電源は、信号処理部０５０６、自励型発振部０５０８、ロジック回路部０５０９などへ供給される。ここで、自励型発振部０５０８（コンデンサと抵抗を用いたＣＲ型発振器やコイルと抵抗を用いたＬＲ型発振器など）は、応答器内の全ての時間的な管理を行うクロック発生器となり、ロジック回路部０５０９に入力される。質問器と応答器の通信距離が大きくなるに従って、信号搬送波０５１０のエネルギーの減衰は大きくなる。それ故、電源再生回路部０５０７で再生される電源電圧は、質問器と応答器の通信距離に依存し、変動してしまう。しかし、マイクロ波を用いた非接触無電源ＩＣカードシステムの場合、応答器内の回路に、その極限状態の電源電圧で動作させるための電圧安定化回路などを設けることは難しい。したがって、自励型発振部０５０８の発振周波数は、その電源電圧の変動により発振周波数も変化してしまい、応答器から質問器０５０１への回答信号の情報伝送レートが、質問器０５０１と応答器間の距離によって変動してしまうという問題点が生じた。
従来方式のように、搬送波にマイクロ波などの高い周波数を使用した非接触無電源ＩＣカードシステムにおいては、応答器の内部に自励型の発振器が使用される。この自励型の発振器は、電源電圧の変動により、その発振周波数が変化してしまう。一方、質問器から送出される信号搬送波（マイクロ波など）から電源を再生する場合、その電源電圧は，質問器と応答器の距離により大幅に変化してしまい、自励型の発振器の周波数が安定にできず、通信における情報伝送レートが変動するなどの不具合がおこった。そして、極限の低電圧で動作させる無電源のＩＣカードシステムでは、その電圧安定化回路を設けることもできない。
これらの理由から、自励型発振器の場合、電源電圧の変動により発振周波数を変動させてしまうので、応答器内の回路の時間管理が難しいという問題点があった。
【特許文献１】  特開平９−２３３６１１
【発明の開示】
本発明は、このような従来の問題点に着目してなされたもので、質問器から送出される信号搬送波（マイクロ波など）に、本来送るべき情報の他に、応答器で再生されるクロック周波数成分を多重化する。それを受信した応答器は、その多重化された変調波からクロック周波数成分を抽出して、その成分を基に安定な周波数のクロックを発振させる一方式である。
上記目的を達成するために、請求項１に記載の発明は、
質問器と応答器とからなる非接触無電源ＩＣカードシステムであって、前記質問器は、搬送波にマイクロ波を用いた信号搬送波を取得する信号搬送波取得部と、前記応答器内部の回路を時間管理するためのクロック波取得部と、前記信号搬送波取得部で取得した信号搬送波と、前記クロック波取得部で取得したクロック波とを多重化して送信波を生成する送信波生成部と、前記送信波生成部で生成された送信波を送信する送信部とを有し、前記応答器は、前記質問器の送信部からの送信波を受信する応答器受信部と、前記応答器受信部にて受信した送信波の信号を処理する信号処理部と、前記応答器受信部にて受信した送信波により電力を生成する電源再生回路部と、前記応答器受信部にて受信した送信波より前記クロック波の周波数成分を抽出するクロック周波数成分抽出部と、前記クロック周波数成分抽出部にて抽出されたクロック周波数成分により発振し前記応答器内部の回路の時間管理を行うクロック発振部とを有することを特徴とし、応答器内部でのクロック周波数が変動し、応答器から質問器への回路信号の情報伝送レートが、質問器と応答器間の距離によって変動してしまうという問題点を回避できることに特徴がある。
【図面の簡単な説明】  図１は、本発明の非接触無電源ＩＣカードシステムの機能ブロック図その１である。
図２は、本発明の電源再生回路部およびクロック周波数抽出部の機能ブロック図その１である。
図３は、本発明の非接触無電源ＩＣカードシステムの機能ブロック図その２である。
図４は、本発明の電源再生回路部およびクロック周波数抽出部の機能ブロック図その２である。
図５は、従来方式の非接触無電源ＩＣカードシステムの機能ブロック図である。
図６は、非接触無電源ＩＣカードシステムの構成図である。
図７は、実施の形態３の非接触無電源ＩＣカードシステムの機能ブロック図である。
図８は、実施の形態３の説明図である。
【発明を実施するための最良の形態】  以下に本件発明の実施の形態を説明する。実施の形態と、請求項との関係はおおむね次のようなものである。
実施の形態１は、主に、請求項１、２、３、４などについて説明している。
実施の形態２は、主に、請求項５について説明している。
実施の形態３は、主に、請求項６、７、８などについて説明している。
（実施の形態１）
図１に示すように、実施の形態１に記載の発明における非接触無電源ＩＣカードシステムの質問器０１０１は、信号搬送波取得部０１０２と、クロック波取得部０１０３と、送信波生成部０１０４と、質問器送信部０１０５とを有する。また応答器は、応答器受信部０１０６、信号処理部０１０７、電源再生回路部０１０８、クロック周波数成分抽出部０１０９、クロック発振部０１１０とを有することを特徴としている。これらと応答器内部のロジック回路部０１１１で構成されるシステムが一般的である。
信号搬送波取得部０１０２は、マイクロ波を用いた搬送波で変調された情報信号を取得する。ここで「マイクロ波」とはＶＨＦ帯（３０ＭＨｚ〜３００ＭＨｚ）及びＵＨＦ帯（３００ＭＨｚ〜３ＧＨｚ）及びＳＨＦ帯（３ＧＨｚ〜３０ＧＨｚ）の周波数帯の電波をいう。また、「信号搬送波」とは、マイクロ波を用いた搬送波で変調された情報信号のことをいう。
クロック波取得部０１０３は、応答器内部の回路の時間管理を行うクロック発振部０１１０に供給するクロック波を取得する。
送信波生成部０１０４は、信号搬送波取得部０１０２で取得した信号搬送波と、クロック波取得部０１０３で取得したクロック波とを多重化して送信波を生成する。
質問器送信部０１０５は、上記多重化された信号搬送波０１１２を送信する。
応答器受信部０１０６は、信号搬送波０１１２を受信する。
信号処理部０１０７は、応答器受信部０１０６にて受信した質問器０１０１からの送信波の信号を処理する。信号処理部０１０７はマイクロ波回路で構成される。ここで「マイクロ波回路」とは、上記マイクロ波を処理するための回路であり、高周波部品で構成される。
電源再生回路部０１０８は、応答器受信部０１０６にて受信した質問器０１０１からの送信波により電力を生成する。また、上記送信波を、クロック周波数成分抽出部０１０９に分配する。例えば、図２に示すように、上記電源再生回路部０２０１は、整流部０２０２と、電源供給部０２０３と、クロック周波数分配部０２０４にて構成される。整流部０２０２は、応答器受信部にて受信した質問器からの送信波を整流する。電源供給部０２０３は、応答器内に電源を供給する。クロック周波数分配部０２０４は、クロック周波数成分抽出部０２０５にクロック周波数を分配する。電源供給部０２０３は積分器などにて構成される。その積分時定数を長くすることにより、整流部０２０２の出力から直流成分を抽出することができる。また、クロック周波数分配部０２０４は整流部０２０２からの出力をクロック周波数成分抽出部０２０５に分配する。
クロック周波数成分抽出部０１０９は、電源再生回路部０１０８から分配された質問器からの送信波からクロック周波数成分を抽出する。例えば、図２に示すように、上記クロック周波数成分抽出部０２０５は、積分器などにて構成される。その積分時定数を短くすることにより、上記電源再生回路部０２０１のクロック周波数分配部０２０４からの出力から、クロック発振周波数成分を抽出することができる。
クロック発振部０１１０は、クロック周波数成分抽出部０１０９にて抽出されたクロック周波数成分を利用し発振し、応答器内部の回路の時間管理を行う。
次に、本発明の動作概要を説明する。
質問器０１０１内で情報により変調された信号搬送波（マイクロ波など）、または無変調波に加え、応答器側でのクロック発振部０１１０の周波数を決めるための周波数成分を重畳して変調する。質問器送信部０１０５（送信アンテナなど）から多重変調化された信号搬送波０１１２を応答器に向けて送出する。応答側では、応答器受信部０１０６（受信アンテナなど）で受信した信号搬送波を分配し、一部を信号処理部０１０７へ、一部を電源再生回路部０１０８へ入力する。電源再生回路部０１０８で作られた電源は、信号処理部０１０７（マイクロ波回路など）、クロック発振部０１１０、ロジック回路部０１１１などへ供給される。
電源再生回路部０１０８には、クロック周波数成分抽出部０１０９が接続されており、電源再生回路部０１０８が応答器受信部０１０６から受信した信号搬送波をクロック周波数成分抽出部０１０９に分配し、クロック周波数成分抽出部０１０９は応答器全体の回路の動作クロック周波数成分を抽出する。クロック周波数成分抽出部０１０９では、例えば、ＡＳＫ（Ａｍｐｌｉｔｕｄｅ  Ｓｈｉｆｔ  Ｋｅｙｉｎｇ）受信回路などを利用してクロック周波数成分を抽出し、クロック発振部０１１０にクロック周波数の情報を供給する。
このようにして、クロック発振部０１１０には、発振周波数が安定な動作ができるような周波数情報が与えられる。
クロック発振部０１１０は、応答器内の全ての時間的な管理を行うクロック発生器となり、ロジック回路部０１１１に入力される。このとき、通信距離に依存して信号搬送波のエネルギーが減衰し、その結果、電源再生回路部０１０８で再生される電源電圧が変動する。このような場合でも、本発明の方式では、質問器０１０１から送出されるクロック周波数により、クロック発振部０１１０の周波数が管理できる。このため、クロック周波数が変動し、応答器から質問器への回路信号の情報伝送レートが、質問器と応答器間の距離によって変動してしまうという問題点を回避できる。
なお、以上の説明では、クロック周波数成分抽出部０１０９は、電源再生回路部０１０８に接続されており、電源再生回路部０１０８より応答器受信部０１０６から受信した信号搬送波を受信するとした。しかしながら、本発明は、上記の構成に限らない。
図３に示すように、クロック周波数成分抽出部０３０９は、応答器受信部０３０６から直接信号搬送波を受信する構成とすることも可能である。
この場合、非接触無電源ＩＣカードシステムの質問器０３０１は、信号搬送波取得部０３０２と、クロック波取得部０３０３と、送信波生成部０３０４と、質問器送信部０３０５とを有する。また応答器は、応答器受信部０３０６、信号処理部０３０７、電源再生回路部０３０８、クロック周波数成分抽出部０３０９、クロック発振部０３１０とを有することを特徴としている。これらと応答器内部のロジック回路部０３１１で構成されるシステムが一般的であることは、図１の場合と同じである。
図３による構成の場合、電源再生回路部０３０８は、応答器受信部０３０６にて受信した質問器０３０１からの送信波により電力を再生する。例えば図４に示すように、上記電源再生回路部０４０１は、整流部０４０２と、電源供給部０４０３にて構成される。整流部０４０２は、応答器受信部にて受信した質問器からの送信波を整流する。電源供給部０４０３は、応答器内に電源を供給する。電源供給部０４０３は、積分器などにて構成される。その積分時定数を長くすることにより、整流部０４０２からの出力より直流成分を抽出することができる。
また、クロック周波数成分抽出部０３０９は、応答器受信部０３０６にて受信した質問器０３０１からの送信波により、クロック周波数成分を抽出する。例えば図４に示すように、クロック周波数成分抽出部０４０４は、整流部０４０５と、抽出部０４０６にて構成される。整流部０４０５は、応答器受信部にて受信した質問器からの送信波を整流する。抽出部０４０６は積分器などによって構成される。その積分時定数を短くすることにより、応答器受信部にて受信した質問器からの送信波の中から、クロック発振周波数成分を抽出することができる。
（実施の形態２）
実施の形態２の非接触無電源ＩＣカードシステムは、実施の形態１において、搬送波の周波数に２．４５ＧＨｚを使用し、クロック周波数に数百ｋＨｚから数十ＭＨｚの周波数を使用することを特徴とする。
（実施の形態３）
実施の形態３の発明は、信号処理部が、クロック発振部にて発振されたクロック周波数成分により、受信した質問器からの送信波をサンプリングし復調する復調手段を有することを特徴とする実施の形態１に記載の応答器又は非接触無電源ＩＣカードシステムに関する。
図７に示すように、実施の形態３に記載の発明における非接触無電源ＩＣカードシステムの質問器０７０１は、信号搬送波取得部０７０２と、クロック波取得部０７０３と、送信波生成部０７０４と、質問器送信部０７０５とを有する。また応答器は、応答器受信部０７０６と、信号処理部０７０７と、電源再生回路部０７０８と、クロック周波数成分抽出部０７０９と、クロック発振部０７１０とを有する。さらに、信号処理部０７０７は、復調手段０７１３を有することを特徴としている。これらと応答器内部のロジック回路部０７１１で構成されるシステムが一般的である。また、質問器０７０１から信号搬送波０７１２が送信される。
実施の形態３の発明は、信号処理部が、クロック発振部にて発振されたクロック周波数成分により、受信した質問器からの送信波をサンプリングし復調する復調手段を有すること以外は、実施の形態１又は２と同様なので、相違点について以下に述べる。
（復調手段）
復調手段は、クロック発振部にて発振されたクロック周波数成分により、受信した質問器からの送信波をサンプリングし復調する。
一般に、無線通信では、雑音を抑圧するために、回路で送信波の通過帯域に制限をかけるが、その時に、送信波（方形波）はなまってしまう。
図８（１）に示すのは、なまりのない送信波（方形波）の波形である。図８（２）に示すのは、図８（１）の送信波が伝送路を通過することによって帯域制限を受けてなまった波形である。図８（２）に示すようななまった波形から”０”と”１”を復調するために、図８（３）に示すクロック発振部より発振されたクロック波形の立ち上がり（または立下り）でサンプリングすると、正確に符号誤り率の低いデータ再生が可能になる。
以上述べたように、復調手段は、クロック発振部にて発振されたクロック周波数成分を利用することにより、受信した質問器からの送信波を正確にサンプリングし符号誤り率の低い情報を復調することが可能となる。
【産業上の利用可能性】  次に作用を説明する。小型化および高速・大容量を実現可能なマイクロ波を使用した非接触無電源ＩＣカードシステムにおいては、長波や短波の低い周波数を使用した無線ＩＣカードシステムのように、応答器の内部で質問器から送出される搬送波を受信しそれを直接、分周して、クロック信号を作成することは難しい。そこで、搬送波にマイクロ波を用いたシステムでは、応答器内の回路の時間管理を行うクロック発振部は自励型発振部を用いていた。一方で、応答器内の電源再生回路部で再生される電源電圧は、質問器と応答器の距離に依存する。マイクロ波を用いた非接触無電源ＩＣカードシステムの場合、応答器の中の回路は、大きさと信号搬送波のエネルギーの制約上、その極限状態の低い電源再生電圧で動作するための電圧安定化回路などを設けることは難しい。そのため、応答器内の回路はこの電源電圧の変動に直接影響を受ける。よって電源電圧の変動が発振周波数を変化させてしまうような自励型発振部では、応答器内の安定な時間管理が難しいという問題点が生じた。
本発明の方式では、質問器と応答器の通信距離に依存して信号搬送波（マイクロ波など）のエネルギーが減衰し、その結果、応答器内の電源電圧が変動するような場合でも、質問器から送出されるクロック周波数成分により、応答器内のクロック発振部の周波数が制御できるため、応答器内のクロック周波数の変動という問題点を回避できる効果がある。
以上説明してきたように、本発明によれば、その構成を図１、３のようにしたため、従来方式における応答器内でのクロック発振周波数の変動が回避でき、その結果、通信の安定・高速・大容量化、質問器の復調回路の簡略化、応答器の回路の簡略化・小型化、通信距離の増加、マルチリードなどの応答器の数量が増加できるなどの効果が得られる。
【図１】
2004051880.tif 000003
【図２】
2004051880.tif 000004
【図３】
2004051880.tif 000005
【図４】
2004051880.tif 000006
【図５】
2004051880.tif 000007
【図６】
2004051880.tif 000008
【図７】
2004051880.tif 000009
【図８】
2004051880.tif 000010
【国際調査報告】
2004051880.tif 000011
2004051880.tif 000012
2004051880.tif 000013
2004051880.tif 000014